(57)【特許請求の範囲】
【請求項１】
撮影画像データを記録媒体に記録する撮影記録装置において、
撮影モードに設定された状態で、電源が投入された場合に、自動的に撮影画像データを隠しファイルとして隠しフォルダに保存する手段を備えたことを特徴とする撮像記録装置。
【請求項２】
前記請求項１に記載の撮像記録装置において、
前記隠しファイルのファイルサイズを予め設定する手段を備えたことを特徴とする撮影記録装置。
【請求項３】
前記請求項１に記載の撮像記録装置において、
前記隠しファイルの撮影時間を予め設定する手段を備えたことを特徴とする撮像記録装置。
【請求項４】
前記請求項１乃至３のいずれかに記載の撮像記録装置において、
前記隠しファイルの消去を開始する残り容量の閾値を予め設定する手段を備え、
前記記録媒体の残り容量が予め設定した閾値よりも小さくなった場合に、隠しファイルの撮影時間の古いものから自動的に消去することを特徴とする撮像記録装置。
【発明の詳細な説明】
【０００１】
【発明の属する技術分野】
本発明は、撮影画像データを記録媒体に記録する撮像記録装置に関するものである。
【０００２】
【従来の技術】
従来の技術について、図６とともに以下説明する。図６は従来の撮像記録装置のブロック図を示す。撮像記録装置は、CCD,AGCなどを含む画像入力部１０１と、YUV信号を生成する信号処理部１０２と、システム全体を制御する制御部１０３と、DMAコントローラ１０４と、メモリ１０５と、画像圧縮伸長部１０６と、圧縮データを記録媒体１０８に記録／読み出しする記録読み出し部１０７と、表示部インターフェイス１０９、ディスプレイ１１０と、各種動作モードを選択するモードスイッチ１１１と、撮影開始を指示するシャッター１１６とを備えている。
【０００３】
まず、ユーザーがモードスイッチ１１１を撮影モードに合わせた状態で、シャッター１１２を押下することにより、撮影開始動作を指示すると、撮影された被写体の光信号は画像入力部１０１に入力され、光電変換されてアナログ映像信号となり、AGC等の処理を施された後に信号処理部１０２へ出力される。
【０００４】
信号処理部１０２に入力された映像信号は、A/D変換されデジタル信号に変換されるとともに、ガンマ補正、フィルタリング、輪郭強調処理等の処理が施され、Y(輝度)、U(赤の色差)、V（青の色差）信号が生成される。制御部１０３はプログラムに基づいて生成されたY,U,V信号をメモリ１０５に記憶する。
【０００５】
次に、記憶されたデジタル映像信号は、DMAコントローラ１０４を介して画像圧縮伸長部１０６へ読み出され、圧縮処理される。圧縮されたデータは、一旦メモリ１０５に記憶された後、制御部１０３により所定のフォーマットに従って、ヘッダー情報を付けられた後に、記録読み出し部１０７を介して記録媒体１０８に記録される。
【０００６】
長時間の動画記録の場合は、数回に分けて圧縮が行われ記録媒体１０８に記録する時に１つのファイルとして記録される。従って、撮影開始時刻を記録したヘッダーは、記録開始した際の１回目の圧縮のみで付けられる。
【０００７】
次に、再生時の動作説明をする。ユーザーがモードスイッチ１１１を再生モードに合わせた状態で、再生開始ボタン（図示せず）を押下することにより、再生開始動作を指示すると、記録媒体１０８に記録されている１つの動画ファイルは、記録読み出し部１０７により読み出され、DMAコントローラ１０４を介してメモリ１０５に記憶される。
【０００８】
また、メモリ１０５から制御部１０３にヘッダー情報が読み込まれ、記録されている撮影開始時刻が読まれる。さらに、メモリ１０５に書き込まれた画像データは、DMAコントローラ１０４を介して、圧縮伸長部１０６に送られ伸長処理されて、再びメモリ１０５に記憶される。次に、メモリ１０５からの伸長データが、DMAコントローラ１０４、表示インターフェース１０９を介し、ディスプレイ１１０に送られ表示される。
【０００９】
【発明が解決しようとする課題】
しかしながら、上述した従来の撮像記録装置では、所望のシーンを撮影する際、まずユーザーがモードスイッチ１１１を撮影モードに合わせた上で電源を投入し、シャッター１１６を押下して撮影開始動作を行う必要があるので、予期せぬ咄嗟のシーンを記録することができないという問題があった。また、ユーザーが撮影開始動作を忘れたために、大事なシーンを記録し損ねるという問題もあった。
【００１０】
本発明は、上記課題に鑑みてなされたものであり、予期せぬ咄嗟のシーンを記録できなかったり、ユーザーの操作ミスによる大事なシーンを記録し損ねるということのない撮像記録装置を提供するものである。
【００１１】
【課題を解決するための手段】
本願の第１の発明は、撮影画像データを記録媒体に記録する撮影記録装置において、撮影モードに設定された状態で、電源が投入された場合に、自動的に撮影画像データを隠しファイルとして隠しフォルダに保存する手段とを備えたことを特徴とする。
【００１２】
本願の第２の発明は、前記隠しファイルのファイルサイズを予め設定する手段を備えたことを特徴とする。
【００１３】
本願の第３の発明は、前記隠しファイルの撮影時間を予め設定する手段を備えたことを特徴とする。
【００１４】
本願の第４の発明は、前記隠しファイルの消去を開始する残り容量の閾値を予め設定する手段を備え、前記記録媒体の残り容量が予め設定した閾値よりも小さくなった場合に、隠しファイルの撮影時間の古いものから自動的に消去することを特徴とする。
【００１５】
【発明の実施の形態】
以下、本発明の一実施形態を、図１乃至図５とともに詳細に説明するが、上述した従来例と同一部分には同一符号を付し、その説明は省略する。ここで、図１は本実施形態における撮像記録装置を示すプロック図である。
【００１６】
本実施形態の撮像記録再生装置は、図６とともに上述した従来の撮像記録装置の構成に加えて、ファイルサイズ設定部１１２と、撮影時間設定部１１３と、デフォルト設定記憶部１１４と、分割設定切り替え部１１５と、残り容量設定部１１７とを備えたものである。
【００１７】
図２は本実施形態において撮影前に行う各設定のフローチャートである。ここでは、モードスイッチ１１１を撮影モードに合わせた状態で電源を投入してから、ユーザーがシャッター１１６を押下することによる「意図的な記録」を開始するまでの間で、常に自動記録される動画ファイル（以下、隠しファイルと称す）の分割方法などを設定する。
【００１８】
まず、ユーザーは撮影前にモードスイッチ１１１を設定モードに合わせた状態で電源を投入する。ここで、ファイルサイズ設定部１１２を介して隠しファイルの分割ファイルサイズを設定する。また、隠しファイルの分割をファイルサイズではなく撮影時間を元に行う場合は、撮影時間設定部１１３を介して分割撮影時間を設定し、分割設定切り替え部１１５を介して撮影時間を元に隠しファイルの分割を行うように設定する。
【００１９】
ここまでの動作をユーザーが行わなかった場合は、デフォルト設定記憶部１１４に記憶されたファイルサイズ毎に隠しファイルの分割を行う。尚、ここで分割方法のデフォルトをファイルサイズに設定しているが、撮影時間毎に分割する方法をデフォルトとしても良い。
【００２０】
更に、残り容量設定部１１７を介して隠しファイルの消去を開始する残り容量の閾値を設定する。この動作をユーザーが行わなかった場合は、デフォルト設定記憶部１１４に記憶された残り容量を閾値として設定する。
【００２１】
次に、本実施形態における記録媒体１０８のディレクトリ構成について、図３とともに説明する。本実施形態においては、ルートディレクトリの下にユーザーが意図して記録した動画ファイル（以下、正規ファイルと称す）を保存する正規フォルダと、隠しファイルを保存する隠しフォルダとを持つ。隠しフォルダには一定のファイルサイズ、または、一定の撮影時間の隠しファイルが複数保存されることになる。
【００２２】
さらに、ユーザーがモードスイッチ１１１を撮影モードに合わせた状態で電源を投入してから、ユーザーがシャッター１１６を押すことによる「意図的な記録」を開始するまでの動作説明をする。図４は「意図的な記録」開始までのフローチャートを示す。
【００２３】
モードスイッチ１１１を撮影モードに合わせた状態で電源を投入すると、被写体の光信号は画像入力部１０１に入力され、光電変換されてアナログ映像信号となり、AGC等の処理を施されて信号処理部１０２へ出力される。信号処理部１０２に入力された映像信号は、A/D変換されデジタル信号に変換されるとともに、ガンマ補正、フィルタリング、輪郭強調処理等の処理が施され、Y(輝度)、U(赤の色差)、V（青の色差）信号が生成される。
【００２４】
制御部１０３はプログラムに基づいて生成されたY,U,V信号をメモリ１０５に記憶する。次に、メモリ１０５に記憶されたデジタル映像信号は、DMAコントローラ１０４を介して画像圧縮伸長部１０６へ読み出され圧縮処理される。圧縮されたデータは、一旦メモリ１０５に記憶された後、制御部１０３により所定のフォーマットに従って、ヘッダー情報が付けられ、記録読み出し部１０７を介して記録媒体１０８の隠しフォルダに隠しファイルとして記録される。
【００２５】
次に、記録したファイルサイズが予め設定した分割ファイルサイズになった場合の動作を説明する。記録媒体１０８に記録された１つの隠しファイルのファイルサイズが予め設定した分割ファイルサイズより大きくなる時点で一旦記録を終了し、１つの隠しファイルを作成する。
【００２６】
次の圧縮データは所定のフォーマットに従ってヘッダー情報が付けられた後に、記録読み出し部１０７を介して記録媒体１０８に新たな隠しファイルとして記録される。次に、ファイルサイズが予め設定した分割ファイルサイズよりも大きくなるまでは従来と同じように数回に分けて圧縮を行い、記録媒体１０８の隠しフォルダに記録する。
【００２７】
ここで、隠しファイルの分割をファイルサイズではなく撮影時間を元に行う場合は、１つの隠しファイルの記録時間が予め設定した分割撮影時間より長くなる時点で一旦記録を終了し、１つの隠しファイルを作成する。
【００２８】
次の圧縮データは所定のフォーマットに従ってヘッダー情報が付けられた後に、記録読み出し部１０７を介して記録媒体１０８に新たな隠しファイルとして記録される。次に、記録時間が予め設定した分割撮影時間よりも長くなるまでは従来と同じように数回に分けて圧縮を行い記録媒体１０８の隠しフォルダに記録する。
【００２９】
以上のように、モードスイッチ１１１を撮影モードに合わせた状態で電源を投入すると、常に隠しファイルとして入力動画像データが自動記録されるため、従来であれば、電源を投入して、記録開始動作を行っている間に終わってしまうような咄嗟のシーンであっても、記録することが可能となる。また、電源を投入することによって自動的に記録を開始するため、ユーザーの操作ミスにより記録開始動作が行われずに記録し損ねるということもなくなる。
【００３０】
次に、ユーザーがシャッター１１６を押すことによる「意図的な記録」を開始してからの動作説明をする。図５は「意図的な記録」開始からのフローチャートを示す。
【００３１】
ユーザーがシャッター１１６を押下して撮影を開始すると、撮影された被写体の光信号は画像入力部１０１に入力され、光電変換されてアナログ映像信号となり、AGC等の処理を施された後、信号処理部１０２へ出力される。
【００３２】
信号処理部１０２に入力された映像信号は、A/D変換されデジタル信号に変換されるとともに、ガンマ補正、フィルタリング、輪郭強調処理等の処理が施され、Y(輝度)、U(赤の色差)、V（青の色差）信号が生成される。制御部１０３はプログラムに基づいて生成されたY,U,V信号をメモリ１０５に記憶する。
【００３３】
次に、記憶されたデジタル映像信号は、DMAコントローラ１０４を介して画像圧縮伸長部１０６へ読み出され圧縮処理される。圧縮されたデータは、一旦メモリ１０５に記憶された後、制御部１０３により所定のフォーマットに従って、ヘッダー情報が付けられた後に、記録読み出し部１０７を介して記録媒体１０８の正規フォルダに正規ファイルとして記録される。
【００３４】
次に、撮影中に記録媒体の残り容量が予め設定した隠しファイルの消去を開始する閾値よりも小さくなった場合の動作を説明する。撮影中は常に予め設定した残り容量の閾値と実際の残り容量とを比較し、設定した閾値よりも残り容量が小さくなった場合は記録動作を続けながら、最も撮影時間の古い隠しファイルを消去する。
【００３５】
引き続き記録動作を続けて再び設定した閾値よりも残り容量が小さくなった場合は、２番目に撮影時間の古い隠しファイルを消去する。これを繰り返すことにより、全ての隠しファイルが消去されるまではユーザーが意図的に撮影したいシーンを撮影することが可能となる。
【００３６】
また、最初に隠しファイルの消去を開始する時点から隠しファイルの消去中であることをOSD表示する。これによりユーザーが隠しファイルを消去したくない場合は、撮影動作を終了することにより隠しファイルを消去せずに保持することができる。
【００３７】
尚、上記一実施形態においては、動画像データを隠しファイルとして記録するものについて説明したが、電源投入時に得られる静止画像データを記録するようにしても良いことは明らかである。
【００３８】
【発明の効果】
本発明の撮像記録装置によれば、モードスイッチを撮影モードに合わせた状態で電源を投入した場合は、ユーザーが撮影開始動作を行わなくても常に隠しファイルとして撮影画像の記録を行うため、予期せぬ咄嗟のシーンを記録できなかったり、ユーザーの操作ミスによる大事なシーンを記録し損ねるということを防止することが可能となる。
【図面の簡単な説明】
【図１】本発明の撮像記録装置の一実施形態における概略構成を示すブロック図である。
【図２】本発明の撮像記録装置の一実施形態における電源投入からユーザーが意図して撮影開始するまでの動作を示すフロー図である。
【図３】本発明の撮像記録装置の一実施形態において用いるディレクトリ構成を示す説明図である。
【図４】本発明の撮像記録装置の一実施形態における撮影前の各設定動作を示すフロー図である。
【図５】本発明の撮像記録装置の一実施形態におけるユーザーが意図して撮影を開始してからの動作を示すフロー図である。
【図６】従来の撮像記録装置における概略構成を示すブロック図である。
【符号の説明】
１０１  画像入力部
１０２  信号処理部
１０３  制御部
１０４  DMAコントローラ
１０５  メモリ
１０６  画像圧縮伸長部
１０７  記録読み出し部
１０８  記録媒体
１０９  表示インターフェイス
１１０  ディスプレイ
１１１  モードスイッチ
１１２  ファイルサイズ設定部
１１３  撮影時間設定部
１１４  デフォルト設定記憶部
１１５  分割設定切り替え部
１１６  シャッター
１１７  残り容量設定部
【図１】
0003914411.tif 000002
【図２】
0003914411.tif 000003
【図３】
0003914411.tif 000004
【図４】
0003914411.tif 000005
【図５】
0003914411.tif 000006
【図６】
0003914411.tif 000007